(57)【要約】  ヘアエクステンション１は、複数本の毛髪が纏められた毛髪部２と、可撓性を有し、毛髪部２の一端部２ｂが植設され、使用者の自毛７に装着される装着ベース部３を備えている。さらに、ヘアエクステンション１は、装着ベース部３の表面に設けられた熱溶融性の接着剤層４を備えている。装着ベース部３は、人工皮膚よりなる。毛髪部２は、一端部２ｂにおいて複数本の毛髪をまとめた状態で縫い上げた第１縫製部５及び第２縫製部６を備えている。第１縫製部５及び第２縫製部６は、装着ベース部３内に埋没されている。
2011064867.tif 000002
【特許請求の範囲】
【請求項１】
複数本の毛髪が纏められた毛髪部と、
可撓性を有し、前記毛髪部の一端部が植設され、使用者の自毛に装着される装着ベース部と、
前記装着ベース部の表面に設けられた熱溶融性の接着剤層と、
を、備えたことを特徴とするヘアエクステンション。
【請求項２】
前記装着ベース部は、人工皮膚よりなることを特徴とした請求項１記載のヘアエクステンション。
【請求項３】
前記毛髪部は、一端部において前記複数本の毛髪をまとめた状態で縫い上げた縫製部を備え、当該縫製部が前記装着ベース部内に埋没するように前記毛髪部の一端部が前記装着ベース部に植設されたことを特徴とする請求項１又は２記載のヘアエクステンション。
【請求項４】
前記装着ベース部は、少なくとも前記接着剤層の溶融温度よりも高い溶融温度を具備したことを特徴とする請求項１乃至３のいずれか一項記載のヘアエクステンション。
【請求項５】
前記装着ベース部は、少なくとも１６０℃よりも高い溶融温度を具備したことを特徴とする請求項１乃至４のいずれか一項記載のヘアエクステンション。
【請求項６】
複数本の毛髪が纏められた毛髪部と、可撓性を有し、前記毛髪部の一端部が植設され、使用者の自毛に装着される装着ベース部と、前記装着ベース部の表面に設けられた熱溶融性の接着剤層と、を備えたヘアエクステンションを準備し、
前記接着剤層で使用者の自毛を挟み込むように前記装着ベース部を折り曲げ、
当該自毛を挟み込んだ装着ベース部を、前記自毛を保持するように外側から鏝で挟持して加熱し、溶融した前記接着剤層により、前記折り曲げた装着ベース部を張り合わせることを特徴としたヘアエクステンションの装着方法。
【発明の詳細な説明】
【技術分野】
【０００１】
本発明はヘアエクステンション及びヘアエクステンションの装着方法に関する。
【背景技術】
【０００２】
昨今、頭髪のボリュームを増すように見せ、また、ファッションの一部として自毛に装着するヘアエクステンションが用いられている。ヘアエクステンションは、カツラとは異なり、使用者の自毛に装着される。従来、ヘアエクステンションを自毛に装着する方法として、例えば、特許文献１や特許文献２が開示されている。特許文献１には、毛髪の編み付け法が開示されている。また、特許文献２には、ヘアエクステンションの近位端に設けた熱可塑性材料を含む接続要素を粘着テープ上に配置したアセンブリが開示されている。
【先行技術文献】
【特許文献】
【０００３】
【特許文献１】特開２００４−３０８０８８号公報
【特許文献２】特表２００５−５３９１５９号公報
【発明の概要】
【発明が解決しようとする課題】
【０００４】
しかしながら、前記特許文献１に開示された発明のように毛髪を編み付ける方法であると、実際に自毛に装着するために美容師の熟練した技術が必要となるし、装着のための作業にも長時間を要するおそれがある。また、特許文献２に開示されたアセンブリは、ヘアエクステンションの装着時間を短縮できるものであるが、粘着テープ上にヘアエクステンションを配置しているため、粘着テープ上からヘアエクステンションを構成する毛髪が脱落するおそれがある。すなわち、特許文献２に開示されたアセンブリは、接続要素と粘着テープとを別部材としているので、例え、熱可塑性材料が溶融したとしても、両者が完全に一体となることはない。このため、ヘアエクステンションを構成する毛髪が脱落したり、ヘアエクステンションが自毛から脱落したりするおそれがあった。特に、ヘアエクステンションを装着した状態で洗髪を行うと、水分により粘着テープの粘着性が劣化し、ヘアエクステンションの脱落、ヘアエクステンションを構成する毛髪の脱落のおそれが高まるという問題もある。【０００５】
そこで本発明は、短時間で容易に自毛に装着することができると共に、ヘアエクステンションを構成する毛髪の脱落、ヘアエクステンションの自毛からの脱落を極力抑制することを課題とする。
【課題を解決するための手段】
【０００６】
上記課題を解決するためのヘアエクステンションは、複数本の毛髪が纏められた毛髪部と、可撓性を有し、前記毛髪部の一端部が植設され、使用者の自毛に装着される装着ベース部と、前記装着ベース部の表面に設けられた熱溶融性の接着剤層と、を、備えたことを特徴としている。このようなヘアエクステンションは、編み込まずに自毛に装着することができるので、短時間で容易に装着作業を終えることができる。また、毛髪部の一端部が、装着ベース部に植設されているため、一本一本の毛髪が装着ベース部と一体化して装着ベース部から脱落し難い。さらに、自毛に対しては、熱溶融性の接着剤によって装着されるので、ヘアエクステンションを強固に自毛に装着することができる。【０００７】
上記のようなヘアエクステンションにおける前記装着ベース部は、人工皮膚より構成することができる。人工皮膚を用いることにより、毛髪の一端部を植設することができる。【０００８】
さらに、前記毛髪部は、一端部において前記複数本の毛髪をまとめた状態で縫い上げた縫製部を備え、当該縫製部が前記装着ベース部内に埋没するように前記毛髪部の一端部が前記装着ベース部に植設された構成とすることができる。縫製部を備えることにより、毛髪が強固に一体化する。このような縫製部を備えた毛髪部の一端部が装着ベース部に植設されることにより、ヘアエクステンションを構成する毛髪の脱落防止効果を高めることができる。この結果、縫製部を備えた場合、一本一本の毛髪が独立した状態で装着ベース部に植設された状態と比較して、毛髪の脱落を効果的に抑制することができる。【０００９】
このようなヘアエクステンションにおける前記装着ベース部は、少なくとも前記接着剤層の溶融温度よりも高い溶融温度を具備していることが望ましい。ヘアエクステンションを自毛に装着するために接着剤層を溶融させるが、このとき、装着ベース部は、熱の影響を過度に受けないことが望ましい。例えば、装着ベース部が熱の影響により過度に軟化し、装着ベース部に植設した毛髪部が抜けやすい状態となることは都合が悪い。このような不都合を回避すべく、装着ベース部の溶融温度は接着剤層の溶融温度よりも高いことが望ましい。但し、ヘアエクステンションが自毛に装着されるときに装着ベース部が変形しやすいように装着ベース部の適度な軟化は許容されることが望ましい。【００１０】
このような装着ベース部は、通常、鏝によって熱せられる。そこで、装着ベース部の溶融温度は、一般的に美容室や家庭で用いられる鏝の温度を考慮して決定されることが望ましい。すなわち、鏝によって熱せられることにより装着ベース部から毛髪が脱落するという不具合が生じることのない温度が選定される。ここで、一般的な鏝の温度が１８０℃程度であることを考慮して、前記装着ベース部は、少なくとも１８０℃よりも高い溶融温度を具備していることが望ましい。この場合、接着剤層は、溶融温度が１８０℃よりも低温の材質のものを選択することが望ましい。また、装着ベース部の溶融温度は使用する接着剤層の溶融温度に基づいて規定することもできる。接着剤層を形成する接着剤の溶融温度が１６０℃であるときは、装着ベース部は、少なくとも１６０℃よりも高い溶融温度を具備するようにする。なお、この場合、鏝の使用温度は、１６０℃以上かつ装着ベース部の溶融温度よりも低く設定する。使用温度を１６０℃以上に設定するのは接着剤層を溶融するためであり、装着ベース部の溶融温度よりも低く設定するのは、装着ベース部を過度に軟化させないためである。【００１１】
本明細書開示のヘアエクステンションの装着方法は、複数本の毛髪が纏められた毛髪部と、可撓性を有し、前記毛髪部の一端部が植設され、使用者の自毛に装着される装着ベース部と、前記装着ベース部の表面に設けられた熱溶融性の接着剤層と、を備えたヘアエクステンションを準備し、前記接着剤層で使用者の自毛を挟み込むように前記装着ベース部を折り曲げ、当該自毛を挟み込んだ装着ベース部を、前記自毛を保持するように外側から鏝で挟持して加熱し、溶融した前記接着剤層により、前記折り曲げた装着ベースを張り合わせることを特徴としている。これにより、短時間で容易にヘアエクステンションを自毛に装着することができる。折り曲げた装着ベース部を鏝で挟んで加熱すればよいので、ヘアエクステンションの装着に熟練を要さない。また、短時間で装着作業を終了することができる。
【発明の効果】
【００１２】
本発明によれば、短時間で容易に自毛にヘアエクステンションを装着することができ、ヘアエクステンションを構成する毛髪の脱落、ヘアエクステンションの自毛からの脱落を極力抑制することができる。
【図面の簡単な説明】
【００１３】
【図１】図１は、実施例のヘアエクステンションの平面図である。
【図２】図２は、実施例のヘアエクステンションの装着ベース部周辺を拡大して示した平面図である。
【図３】図３は、実施例のヘアエクステンションの装着ベース部周辺を拡大して示した正面図である。
【図４】図４は、実施例のヘアエクステンションの装着ベース部周辺を拡大して示した側面図である。
【図５】図５は、実施例のヘアエクステンションの装着方法を示す工程図である。
【図６】図６は、自毛に実施例のヘアエクステンションを装着した状態の説明図である。
【発明を実施するための形態】
【００１４】
以下、本発明の実施形態について、添付図面を参照しつつ説明する。ただし、図面中、各部の寸法、比率等は、実際のものと完全に一致するようには図示されていない場合がある。また、図面によっては細部が省略されている場合もある。
【実施例】
【００１５】
図１は、実施例のヘアエクステンション１の平面図である。図２は、ヘアエクステンション１の装着ベース部３周辺を拡大して示した平面図である。図３は、ヘアエクステンション１の装着ベース部３周辺を拡大して示した正面図である。なお、装着ベース部３の端面側を正面側としている。図４は、ヘアエクステンション１の装着ベース部３周辺を拡大して示した側面図である。【００１６】
ヘアエクステンション１は、複数本の毛髪が纏められた毛髪部２を備えている。より具体的には、複数本の毛髪を束にした毛髪束２ａを複数備えている。ここで、毛髪は、人工毛髪であってもよいし、天然毛髪であってもよい。この毛髪部２は、一端部２ｂにおいて、複数本の毛髪、より具体的には毛髪束２ａをまとめた状態で縫い上げた２箇所の縫製部、すなわち、第１縫製部５及び第２縫製部６を備えている。第１縫製部５は、毛髪部２の末端に位置し、第２縫製部６は、第１縫製部５よりも他端側に位置している。第１縫製部５及び第２縫製部６は、ミシンを用いて縫い上げることによって形成されている。毛髪部２は、縫製部が形成された時点で複数本の毛髪が一体化された状態となる。【００１７】
ヘアエクステンション１は、後に詳細に説明するように使用者の自毛７に装着される装着ベース部３を備えている。装着ベース部３は、シート状に形成され、可撓性を有し、毛髪部２の一端部２ｂが植設されている。具体的には、第１縫製部５及び第２縫製部６が装着ベース部３に埋没するように毛髪部２の一端部２ｂが装着ベース部３に植設される。【００１８】
このような装着ベース部３は、柔軟な人工皮膚よりなる。人工皮膚を用いることにより、装着ベース部３に毛髪部２の一端部２ｂを植設することができる。ここで、従来周知の人工皮膚への植毛技術を用いることができる。本実施例では、乾燥することにより人工皮膚となる液状素材に毛髪部２の一端部２ｂを、第２縫製部６が漬かるまで浸す。その後引き上げて液状素材を乾燥させることによって装着ベース部３に毛髪部２の一端部２ｂを植設した状態としている。なお、この方法に代えて、乾燥することにより人工皮膚となる液状素材を毛髪部２の一端部２ｂに塗布することによって植設状態とすることもできる。このような人工皮膚は、溶融温度が１８５℃よりも高いものが選定されている。これにより、装着ベース部３は、１８５℃よりも高い溶融温度を具備している。これは、後に説明する鏝９の使用温度、接着剤層４の溶融温度を考慮して選定したものである。【００１９】
ヘアエクステンション１は、装着ベース部３の表面に接着剤層４を備えている。この接着剤層４は、装着ベース部３の一の面に熱溶融性の接着剤を塗布することによって形成されている。接着剤としては、従来周知の熱溶融性の接着剤を用いることができる。例えば、グルーガンやホットメルト接着剤を用いることができる。【００２０】
ここで、装着ベース部３の溶融温度と、接着剤層４の溶融温度との関係について説明する。装着ベース部３は、上述のように、１８５℃よりも高い溶融温度を具備している。これに対し、接着剤層４は、１８５℃よりも低い溶融温度を具備している。換言すれば、装着ベース部３は、接着剤層４の溶融温度よりも高い溶融温度を具備している。具体的に、本実施例の接着剤層４の溶融温度は１６０℃である。装着ベース部３の溶融温度は、少なくとも接着剤層４の溶融温度である１６０℃よりも高くなるように１８５℃が選定されている。１８５℃であれば、一般的に用いられる鏝の使用温度（１８０℃程度）よりも高いことになる。装着ベース部３と接着剤層４とが、このような溶融温度の関係を有していることにより、装着ベース部３に熱を加えたときに、接着剤層４のみを溶融させて、接着効果を得ることができる。【００２１】
つぎに、このようなヘアエクステンション１を使用者の自毛７に装着する方法について図５を参照しつつ説明する。図５は、ヘアエクステンション１の装着方法を示す工程図である。【００２２】
まず、図５（Ａ）で示す工程において、上述したヘアエクステンション１を準備する。【００２３】
そして、図５（Ｂ）で示す工程において、作業者は、接着剤層４で使用者の自毛７を挟み込むように図中の矢示８の方向へ装着ベース部３を折り曲げる。装着ベース部３は、可撓性を有しているので、容易に折り曲げることができる。これにより、接着剤層４同士が対向する状態となる。【００２４】
つぎに、図５（Ｃ）で示す工程において、自毛７を挟み込んだ装着ベース部３を、自毛７を保持するように外側から鏝９で挟持して加熱する。ここで、鏝９の使用温度は、接着剤層４の溶融温度である１６０℃から装着ベース部３の溶融温度の間である。鏝９による加熱により、熱溶融性の接着剤層４が溶融し、折り曲げた装着ベース部３が張り合わされる。なお、この加熱操作により、装着ベース部３も適度に軟化する。装着ベース部３が張り合わされたら、図５（Ｄ）で示す工程において、鏝９を外す。【００２５】
つぎに、図５（Ｅ）で示す工程において、押圧器具１０を用いた押圧操作を行う。押圧器具１０は、それぞれ平滑な押圧面１０ａを対向配置させた器具である。この押圧面１０ａを張り合わせた装着ベース部３の両側にそれぞれ配置して装着ベース部３を押圧する。この押圧操作は、接着剤層４が溶融しており、装着ベース部３が軟化している状態で行う。接着剤層４が溶融している状態で押圧操作をすることにより、ヘアエクステンション１のより強固な自毛７への装着が実現される。また、装着ベース部３が軟化している状態で押圧操作をすることで、張り合わせた装着ベース部３が圧縮されて薄くなる。【００２６】
押圧器具１０による押圧操作が終了した後、図５（Ｆ）で示す工程において、溶融した接着剤層４、軟化した装着ベース部３が冷却固化させれば、図６に示すようにヘアエクステンション１の自毛７への強固な装着が実現される。図５（Ｆ）で示す押圧操作を経た装着ベース部３の厚みｔは、０．２ｍｍ〜０．３ｍｍ程度となっている。【００２７】
このように、ヘアエクステンション１の自毛７への装着は非常に容易であり、短時間で終了する。【００２８】
以上説明したヘアエクステンション１は、毛髪部２の一端部２ｂが人工皮膚からなる装着ベース部３に埋設されており、さらに、第１縫製部５及び第２縫製部６を備えているので毛髪が抜けにくい。また、第１縫製部５及び第２縫製部６は装着ベース部３に埋設され、あたかもコーティングされた状態となっているので、糸がほつれることもない。さらに、人工皮膚を用いていることにより、ヘアエクステンションを装着した使用者にほとんど違和感がない。人工皮膚が柔軟性を有し、装着した状態の装着ベース部３が非常に薄いことも装着感の向上に寄与している。また、ヘアエクステンション１の自毛７への装着には熱溶融性の接着剤層４を溶融させて行うため強固な装着が実現できる一方で、取り外すときも接着剤層４を加熱すればよいので便利である。【００２９】
上述した実施例は本発明の好適な実施の例である。但し、これに限定されるものではなく、本発明の要旨を逸脱しない範囲内において種々変形実施可能である。上記実施例では装着ベース部の素材として人工皮膚を採用したが、毛髪を植設することができる他の素材を採用することもできる。
【符号の説明】
【００３０】
１…ヘアエクステンション
２…毛髪部
２ａ…毛髪束
２ｂ…一端部
３…装着ベース部
４…接着剤層
５…第１縫製部
６…第２縫製部
７…自毛
９…鏝
１０…押圧器具
【図１】
2011064867.tif 000003
【図２】
2011064867.tif 000004
【図３】
2011064867.tif 000005
【図４】
2011064867.tif 000006
【図５】
2011064867.tif 000007
【図６】
2011064867.tif 000008
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
複数本の毛髪が纏められ、一端部において前記複数本の毛髪をまとめた状態で縫い上げた縫製部を備えた毛髪部と、
人工皮膚よりなり、可撓性を有し、前記縫製部が埋没するように前記毛髪部の一端部が植設され、使用者の自毛に装着される装着ベース部と、
前記装着ベース部の表面に設けられた熱溶融性の接着剤層と、
を、備えたことを特徴とするヘアエクステンション。
【請求項２】
前記装着ベース部は、少なくとも前記接着剤層の溶融温度よりも高い溶融温度を具備したことを特徴とする請求項１に記載のヘアエクステンション。
【請求項３】
前記装着ベース部は、少なくとも１６０℃よりも高い溶融温度を具備したことを特徴とする請求項１又は２に記載のヘアエクステンション。
【国際調査報告】
2011064867.tif 000009
2011064867.tif 000010
2011064867.tif 000011
2011064867.tif 000012